(57)【要約】【課題】コネクタへの装着がしやすいフレキシブル配線板を得る。【解決手段】実施形態のフレキシブル配線板７０は、本体７１と、引掛部７２と、突出部７３と、を備えている。引掛部７２は、本体７１の二つの側縁部７５ｃからそれぞれ延びた二つのアーム部７２ａと、二つのアーム部７２ａを接続した接続部７２ｂと、を有している。突出部７３は、接続部７２ｂから突出している。二つのアーム部７２ａが導体７６の延在方向に延び、二つのアーム部７２ａの間に二つの側縁部７５ｃのそれぞれの一部と端子７６ａとが位置し、接続部７２ｂがベース７５の端部７５ａの外側で幅方向ＷＤに延び、突出部７３が接続部７２ｂに対してベース７５の端部７５ａとは反対側に突出する。【選択図】図７
2020140867.tif 000002
【特許請求の範囲】
【請求項１】
二つの端部と二つの前記端部に亘った二つの側縁部とを有したベースと、前記ベースにおける二つの前記端部の間に延在し前記ベースに支持された導体と、前記導体の端部に設けられた端子と、を有した本体と、
二つの前記側縁部からそれぞれ延びた二つのアーム部と、二つの前記アーム部のそれぞれの前記側縁部とは反対側の一端部を接続した接続部と、を有した引掛部と、
前記接続部から突出した突出部と、
を備え、
前記本体と前記引掛部と前記突出部とが平面に沿った状態とされた場合、前記平面と直交する方向からの視線で、二つの前記アーム部が前記導体の延在方向に延び、二つの前記アーム部の間に二つの前記側縁部のそれぞれの一部と前記端子とが位置し、前記接続部が、前記ベースの前記端部の外側で、前記ベースにおける前記二つの側縁部と交差する幅方向に延び、前記突出部が前記接続部に対して前記ベースの前記端部とは反対側に突出する、フレキシブル配線板。
【請求項２】
前記幅方向での前記突出部の幅が、前記二つのアーム部の間の前記幅方向の間隔よりも小さい、請求項１に記載のフレキシブル配線板。
【請求項３】
請求項１または２に記載のフレキシブル配線板と、
前記フレキシブル配線板が装着されたコネクタと、
を備えた電子機器。
【請求項４】
第１面を有した部材を備え、
前記コネクタは、
前記第１面が向いた第１方向の反対の第２方向を向いた二つの制限部を有し前記第１面に固定されたコネクタベースと、
前記コネクタベースに支持され前記フレキシブル配線板の前記端子と接触したコネクタ端子と、
前記コネクタ端子に前記フレキシブル配線板を押し付ける押付方向と前記押付方向の反対方向とに回転可能に支持されたフリップと、有し、
前記二つのアーム部は、前記二つの制限部に引っ掛けられて前記第１方向への移動が制限され、
前記突出部は、折り返されて二つの前記アーム部の間に挿入されて前記フリップの前記第１方向側から前記フリップと接触しており、前記フリップを前記押付方向に押す、請求項３に記載の電子機器。
【請求項５】
前記フレキシブル配線板は、前記幅方向に並べられた複数の前記端子を有し、
前記コネクタは、前記幅方向に並べられ、前記複数の端子と接触した複数の前記コネクタ端子を有し、
前記幅方向での前記突出部の幅が、前記幅方向での前記複数のコネクタ端子の列の幅以上であり、前記突出部が、前記複数のコネクタ端子を前記第１方向から覆った、請求項４に記載の電子機器。
【発明の詳細な説明】
【技術分野】
【０００１】
本発明は、フレキシブル配線板および電子機器に関する。
【背景技術】
【０００２】
従来、二つの電子部品のそれぞれに設けられた二つのコネクタをフレキシブル配線板によって電気的に接続した電子機器が知られている。
【先行技術文献】
【特許文献】
【０００３】
【特許文献１】特開２０１８−９８１４８号公報
【発明の概要】
【発明が解決しようとする課題】
【０００４】
この種のフレキシブル配線板では、例えば、コネクタへの装着がしやすい新規な構成が得られれば、有益である。
【０００５】
そこで、本発明の課題の一つは、コネクタへの装着がしやすいフレキシブル配線板とこのフレキシブル配線板を備えた電子機器とを得ることである。
【課題を解決するための手段】
【０００６】
本発明の第１態様にかかるフレキシブル配線板は、例えば、二つの端部と二つの前記端部に亘った二つの側縁部とを有したベースと、前記ベースにおける二つの前記端部の間に延在し前記ベースに支持された導体と、前記導体の端部に設けられた端子と、を有した本体と、二つの前記側縁部からそれぞれ延びた二つのアーム部と、二つの前記アーム部のそれぞれの前記側縁部とは反対側の一端部を接続した接続部と、を有した引掛部と、前記接続部から突出した突出部と、を備え、前記本体と前記引掛部と前記突出部とが平面に沿った状態とされた場合、前記平面と直交する方向からの視線で、二つの前記アーム部が前記導体の延在方向に延び、二つの前記アーム部の間に二つの前記側縁部のそれぞれの一部と前記端子とが位置し、前記接続部が、前記ベースの前記端部の外側で、前記ベースにおける前記二つの側縁部と交差する幅方向に延び、前記突出部が前記接続部に対して前記ベースの前記端部とは反対側に突出する。
【０００７】
前記フレキシブル配線板では、例えば、前記幅方向での前記突出部の幅が、前記二つのアーム部の間の前記幅方向の間隔よりも小さい。
【０００８】
本発明の第２態様にかかる電子機器は、例えば、前記フレキシブル配線板と、前記フレキシブル配線板が装着されたコネクタと、を備えている。
【０００９】
前記電子機器は、例えば、第１面を有した部材を備え、前記コネクタは、前記第１面が向いた第１方向の反対の第２方向を向いた二つの制限部を有し前記第１面に固定されたコネクタベースと、前記コネクタベースに支持され前記フレキシブル配線板の前記端子と接触したコネクタ端子と、前記コネクタ端子に前記フレキシブル配線板を押し付ける押付方向と前記押付方向の反対方向とに回転可能に支持されたフリップと、を有し、前記二つのアーム部は、前記二つの制限部に引っ掛けられて前記第１方向への移動が制限され、前記突出部は、折り返されて二つの前記アーム部の間に挿入されて前記フリップの前記第１方向側から前記フリップと接触しており、前記フリップを前記押付方向に押す。
【００１０】
前記電子機器では、例えば、前記フレキシブル配線板は、前記幅方向に並べられた複数の前記端子を有し、前記コネクタは、前記幅方向に並べられ、前記複数の端子と接触した複数の前記コネクタ端子を有し、前記幅方向での前記突出部の幅が、前記幅方向での前記複数のコネクタ端子の列の幅以上であり、前記突出部が、前記複数のコネクタ端子を前記第１方向から覆っている。
【発明の効果】
【００１１】
本発明の上記態様によれば、コネクタへの装着がしやすいフレキシブル配線板とこのフレキシブル配線板を備えた電子機器とを得ることができる。
【図面の簡単な説明】
【００１２】
【図１】図１は、実施形態の電子機器の正面側からの例示的な斜視図であって、ディスプレイ部が展開位置に位置された状態の図である。
【図２】図２は、実施形態の電子機器におけるベース部の一部の例示的な断面図である。
【図３】図３は、実施形態の電子機器におけるコネクタおよびフレキシブル配線板の例示的な図であって、図２のIII方向からの矢視図である。
【図４】図４は、実施形態のコネクタの例示的な斜視図である。
【図５】図５は、実施形態のコネクタの例示的な側面図である。
【図６】図６は、実施形態のコネクタの例示的な側面図であって、フリップが開位置に位置した状態の図である。
【図７】図７は、実施形態の展開状態のフレキシブル配線板の平面図である。
【図８】図８は、実施形態のフレキシブル配線板をコネクタに装着する工程を示す例示的な図である。
【図９】図９は、実施形態のフレキシブル配線板をコネクタに装着する工程を示す例示的な図であって、図８の工程の次の工程を示す図である。
【図１０】図１０は、実施形態のフレキシブル配線板をコネクタに装着する工程を示す例示的な図であって、図９の工程の次の工程を示す図である。
【図１１】図１１は、実施形態の第１変形例の展開状態のフレキシブル配線板の一部の平面図である。
【図１２】図１２は、実施形態の第２変形例の展開状態のフレキシブル配線板の一部の平面図である。
【図１３】図１３は、実施形態の第３変形例の電子機器におけるベース部の一部の例示的な断面図である。
【発明を実施するための形態】
【００１３】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果のうち少なくとも一つを得ることが可能である。
【００１４】
なお、本明細書では、序数は、部品や、部材、部位、位置、方向等を区別するためだけに用いられており、順番や優先度を示すものではない。
【００１５】
図１は、実施形態の電子機器１の正面側からの例示的な斜視図であって、第２モジュール３が展開位置に位置された状態の図である。
【００１６】
図１に示されるように、電子機器１は、例えば、ノートブック型（クラムシェル型）のパーソナルコンピュータとして構成され、第１モジュール２と、第２モジュール３と、を備えている。第１モジュール２は、例えば机や、台、棚等の載置部（不図示）に載置される。第２モジュール３は、第１モジュール２に対して回転中心軸Ｃ回りに回転可能に第１モジュール２に支持され、展開位置（図１）と閉じ位置（不図示）との間を移動可能である。具体的には、第２モジュール３は、ヒンジ５を介して第１モジュール２に連結されている。なお、電子機器１は、上記例には限定されず、例えば、デスクトップ型のパーソナルコンピュータや、スレート型（タブレット型）のパーソナルコンピュータ、スマートフォン、携帯電話、映像表示装置、テレビジョン受像機、ゲーム機、記憶装置等であってもよい。
【００１７】
また、実施形態では、便宜上、互いに直交する三方向が定義されている。Ｘ方向は、第１モジュール２の奥行方向（前後方向、短手方向）に沿い、Ｙ方向は、第１モジュール２の幅方向（左右方向、長手方向）に沿い、Ｚ方向は、第１モジュール２の高さ方向（上下方向）に沿う。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される。
【００１８】
第１モジュール２は、第１筐体１１と、第１筐体１１に支持されたキーボード１２と、を有している。キーボード１２は、上方から操作可能な状態に第１筐体１１に支持されている。また、第１筐体１１内には、基板５０（図２）が収容されている。基板５０には、ＣＰＵ（Central  Processing  Unit）や、ＲＯＭ（Read  Only  Memory）、ＲＡＭ（Random  Access  Memory）、コネクタ６０（図２）等の複数の電子部品が実装されている。基板５０に設けられた配線と基板５０に取り付けられた複数の電子部品とによって、電子機器１の電子回路の少なくとも一部が構成されている。
【００１９】
第２モジュール３は、第２筐体２１と、ディスプレイユニット２２と、を有している。ディスプレイユニット２２は、表示画面２２ａが前方から視認可能な状態に、第２筐体２１に支持されている。
【００２０】
第２モジュール３（第２筐体２１）が展開位置（図１）に位置した状態では、第１筐体１１の上面１１ａおよびキーボード１２と、第２筐体２１の前面２１ａおよびディスプレイユニット２２の表示画面２２ａとが対向せず、第１筐体１１の上面１１ａ、キーボード１２、第２筐体２１の前面２１ａ、ディスプレイユニット２２の表示画面２２ａが露出する。このとき、第２筐体２１の前面２１ａおよび後面２１ｂは、それぞれ、前方および後方を向く。
【００２１】
一方、第２モジュール３（第２筐体２１）が閉じ位置（不図示）に位置した状態では、第１筐体１１の上面１１ａおよびキーボード１２と、第２筐体２１の前面２１ａおよびディスプレイユニット２２の表示画面２２ａとが対向する。
【００２２】
第１筐体１１の形状は、上下方向に扁平な略直方体である。第１筐体１１は、例えば、下壁１１ｃや、上壁１１ｄ、前壁１１ｅ、後壁１１ｆ、左壁１１ｇ、右壁１１ｈ等の複数の壁を有している。
【００２３】
下壁１１ｃは、下面１１ｂを含み、上壁１１ｄは、上面１１ａを含む。下壁１１ｃおよび上壁１１ｄは、いずれも、Ｚ方向と直交する方向（ＸＹ平面）に沿って延びており、Ｚ方向に間隔をあけて互いに平行に設けられている。
【００２４】
前壁１１ｅおよび後壁１１ｆは、いずれも、Ｘ方向と直交する方向（ＹＺ平面）に沿って延びており、Ｘ方向に間隔をあけて互いに平行に設けられている。前壁１１ｅおよび後壁１１ｆは、それぞれ、第１筐体１１の前端部１１ｉおよび後端部１１ｊを構成している。前端部１１ｉは、回転中心軸Ｃと離間している。後端部１１ｊは、前端部１１ｉに対して回転中心軸Ｃ側に設けられている。
【００２５】
左壁１１ｇおよび右壁１１ｈは、いずれも、Ｙ方向と直交する方向（ＸＺ平面）に沿って延びており、Ｙ方向に間隔をあけて互いに平行に設けられている。左壁１１ｇおよび右壁１１ｈは、それぞれ、第１筐体１１の左端部１１ｋおよび右端部１１ｍを構成している。
【００２６】
また、第１筐体１１には、四つの角部１１ｎａ〜１１ｎｄが設けられている。角部１１ｎａは、前壁１１ｅと左壁１１ｇとの交差部によって構成されている。角部１１ｎｂは、左壁１１ｇと後壁１１ｆとの交差部によって構成されている。角部１１ｎｃは、後壁１１ｆと右壁１１ｈとの交差部によって構成されている。角部１１ｎｄは、右壁１１ｈと前壁１１ｅとの交差部によって構成されている。
【００２７】
また、第１筐体１１は、ロアカバー１３と、アッパーカバー１４と、を含む複数の部材の組み合わせによって構成されている。ロアカバー１３は、少なくとも下壁１１ｃを含む。アッパーカバー１４は、少なくとも上壁１１ｄを含む。
【００２８】
図２は、実施形態の電子機器１における第１モジュール２の一部の例示的な断面図である。図２では、上下を逆にされた状態の電子機器１における第１モジュール２の内部が示されている。図３は、実施形態の電子機器１におけるコネクタ６０およびフレキシブル配線板７０の例示的な図であって、図２のIII方向からの矢視図である。
【００２９】
図２および図３に示されるように、第１筐体１１内には、基板５０と、コネクタ６０と、フレキシブル配線板７０とが収容されている。以後の説明では、特段に言及しない場合には、幅方向ＷＤは、コネクタ６０およびフレキシブル配線板７０の幅方向である。
【００３０】
基板５０は、下壁１１ｃを向いた第１面５０ａを有し、この第１面５０ａにコネクタ６０が実装されている。以後、第１面５０ａが向いた方向を第１方向Ｄ１と称し、第１方向Ｄ１の反対方向を第２方向Ｄ２とも称する。
【００３１】
図４は、実施形態のコネクタ６０の例示的な斜視図である。図５は、実施形態のコネクタ６０の例示的な側面図である。図６は、実施形態のコネクタ６０の例示的な側面図であって、フリップ６３が開位置に位置した状態の図である。
【００３２】
図４〜図６に示されるように、コネクタ６０は、基板５０の第１面５０ａに固定された複数のコネクタベース６１と、コネクタベース６１に支持（固定）されたコネクタ端子６２（図４）と、コネクタベース６１に回転可能に支持されたフリップ６３と、を有している。コネクタ６０は、所謂フリップロックタイプである。また、コネクタ６０は、ライトアングルタイプであってもよいし、ライトアングルタイプでなくてもよい。フリップ６３は、可動部材とも称される。
【００３３】
図４に示されるように、コネクタベース６１には、フレキシブル配線板７０の装着部７４（図７）を受け入れる凹状の受入部６４が設けられている。また、コネクタベース６１における幅方向ＷＤの両端部には、二つの溝部６５が設けられている。二つの溝部６５は、それぞれ、コネクタベース６１の幅方向ＷＤと直交する長さ方向（奥行き方向）に延在するとともに、第２方向Ｄ２に開放されている。すなわち、溝部６５は、基板５０の第１面５０ａに面している。また、コネクタベース６１には、溝部６５に面した二つの制限部６６が設けられている。すなわち、二つの制限部６６は、コネクタベース６１の幅方向ＷＤの両端部に設けられている。二つの制限部６６は、第２方向Ｄ２を向いた面によって構成されている。すなわち、二つの制限部６６は、基板５０の第１面５０ａと対向している。
【００３４】
図４に示されるように、複数のコネクタ端子６２は、幅方向ＷＤに互いに間隔を空けて並べられている。
【００３５】
図５および図６に示されるように、フリップ６３は、閉位置（図５）と、開位置（図６）との間で、中心軸Ａｘ回りに回転可能に、コネクタベース６１に支持されている。閉位置は、フリップ６３が、受入部６４を覆う位置である。閉位置では、フリップ６３が、フレキシブル配線板７０における装着部７４の端子７６ａ（図７）を、コネクタ端子６２とで挟む。この状態では、コネクタ端子６２とフレキシブル配線板７０の端子７６ａとが接触する。開位置は、フリップ６３が、受入部６４を開放する位置である。開位置では、フリップ６３が、フレキシブル配線板７０における装着部７４の端子７６ａ（図７）を、コネクタ端子６２とで挟まない。また、フリップ６３の回転方向は、具体的には、フリップ６３がコネクタ端子６２にフレキシブル配線板７０を押し付ける押付方向Ｄ３と、押付方向Ｄ３の反対方向とがある。すなわち、フリップ６３は、押付方向Ｄ３と押付方向Ｄ３の反対方向とに回転可能に、コネクタベース６１に支持されている。中心軸Ａｘは、幅方向ＷＤに沿う。なお、図５，６の例では、押付方向Ｄ３が反時計回りであるが、これに限定されない。例えば、図５，６の構成において、押付方向Ｄ３が時計回りの構成であってもよい。
【００３６】
図７は、実施形態の展開状態のフレキシブル配線板７０の平面図である。図７に示されるように、フレキシブル配線板７０は、本体７１と、二つの引掛部７２と、二つの突出部７３と、を備えている。フレキシブル配線板７０は、例えば、フレキシブルプリント基板やフレキシブルフラットケーブルである。フレキシブル配線板７０の各部（本体７１、引掛部７２、突出部７３）は、それぞれ、弾性変形可能である。すなわち、フレキシブル配線板７０の各部（本体７１、引掛部７２、突出部７３）は、それぞれ、柔軟性を有している。フレキシブル配線板７０は、フレキシブル配線板７０が平面１００に沿わされた状態（展開状態、自由状態）では、当該平面１００およびフレキシブル配線板７０の長手方向Ｄ５と直交する所定の平面に関して対称である。
【００３７】
本体７１は、帯状に形成されている。本体７１は、二つの装着部７４を有している。二つの装着部７４は、本体７１の長手方向Ｄ５での当該本体７１の両端部に設けられている。二つの装着部７４のそれぞれに引掛部７２と突出部７３とが設けられている。
【００３８】
本体７１は、ベース７５と、複数の導体７６と、複数の端子７６ａと、を有している。ベース７５は、帯状に形成され、長手方向Ｄ５の二つの端部７５ａと、二つの端部７５ａに亘った二つの側縁部７５ｃと、を有している。ここで、幅方向ＷＤは、ベース７５における二つの側縁部７５ｃと交差する。ベース７５は、例えばフィルムや銅箔などの複数の層が積層されて構成されている。ベース７５の端部７５ａは、装着部７４に含まれる。
【００３９】
複数の導体７６は、ベース７５における二つの端部７５ａの間に延在しベース７５に支持（固定）されている。複数の導体７６は、互いに絶縁された状態でベース７５に支持されている。複数の導体７６は、幅方向ＷＤに互いに間隔を空けて並んでいる。各導体７６の長手方向Ｄ５の両端部７６ｂには、端子７６ａが設けられている。すなわち、複数の端子７６ａが互いに幅方向ＷＤに間隔を空けて並んでいる。複数の導体７６は、ベース７５に覆われている。ただし、導体７６の一部は、導体７６から露出している。具体的には、各導体７６は、少なくとも端子７６ａがベース７５から露出している。端子７６ａは、一面が露出された状態で、他面がベース７５に固定されている。導体７６は、導電性材料によって構成されている。端子７６ａは、装着部７４に含まれる。
【００４０】
引掛部７２は、二つのアーム部７２ａと、接続部７２ｂと、を有して、装着部７４（ベース７５の端部７５ａ、端子７６ａ）を囲んでいる。引掛部７２には、開口部７２ｆが設けられており、この開口部７２ｆ内に装着部７４が位置する。開口部７２ｆは、二つのアーム部７２ａと接続部７２ｂとによって形成されている。すなわち、二つのアーム部７２ａと接続部７２ｂとは、開口部７２ｆに面している。
【００４１】
アーム部７２ａおよび接続部７２ｂは、それぞれ帯状に形成されている。引掛部７２は、例えば、ベース７５と同じ材料によって構成されている。引掛部７２は、例えば、ベース７５と一体成形されている。なお、引掛部７２は、ベース７５と別部材に構成されて、ベース７５に固定されていてもよい。
【００４２】
二つのアーム部７２ａは、それぞれ、ベース７５の二つの側縁部７５ｃからそれぞれ延びている。詳細には、二つのアーム部７２ａは、第１部分７２ｃと、第２部分７２ｄと、を有している。二つのアーム部７２ａの二つの第１部分７２ｃは、側縁部７５ｃにおける装着部７４以外の部分から幅方向ＷＤに突出している。すなわち、二つの第１部分７２ｃは、二つの側縁部７５ｃから互いに反対方向に突出している。二つのアーム部７２ａの二つの第２部分７２ｄは、長手方向Ｄ５に沿って、装着部７４の側縁部７５ｃと対向するように延びている。接続部７２ｂは、二つのアーム部７２ａにおける側縁部７５ｃとは反対側の端部７２ｅを接続している。端部７２ｅは、第２部分７２ｄの端部（先端部）である。接続部７２ｂは、幅方向ＷＤに延びている。
【００４３】
突出部７３は、接続部７２ｂから突出している。突出部７３は、例えば、引掛部７２と同じ材料によって構成されている。突出部７３は、例えば、引掛部７２と一体成形されている。なお、突出部７３は、引掛部７２と別部材に構成されて、引掛部７２に固定されていてもよい。突出部７３は、持ち手部とも称される。
【００４４】
上記構成では、本体７１と引掛部７２と突出部７３とが平面１００に沿った状態とされた場合、平面１００と直交する方向からの視線で、二つのアーム部７２ａが導体７６の延在方向（長手方向Ｄ５）に延び、二つのアーム部７２ａの間に二つの側縁部７５ｃのそれぞれの一部と端子７６ａとが位置し、接続部７２ｂがベース７５の端部７５ａの外側で幅方向ＷＤに延び、突出部７３が接続部７２ｂに対してベース７５の端部７５ａとは反対側に突出する。
【００４５】
また、フレキシブル配線板７０では、例えば、ベース７５における二つの側縁部７５ｃと交差する幅方向ＷＤでの突出部７３の幅Ｗ１が、二つのアーム部７２ａの間の幅方向ＷＤの間隔Ｗ２よりも小さい。
【００４６】
また、幅方向ＷＤでの突出部７３の幅Ｗ１が、幅方向ＷＤでの複数のコネクタ端子６２の列の幅Ｗ３（図４）以上である。
【００４７】
上記の展開形状を有するフレキシブル配線板７０は、図２に示されるように、変形された状態でコネクタ６０に装着されている。フレキシブル配線板７０の装着状態では、二つのアーム部７２ａは、二つの制限部６６に引っ掛けられて第１方向Ｄ１への移動が制限されている。また、突出部７３は、折り返されて二つのアーム部７２ａの間に挿入されてフリップ６３の第１方向Ｄ１側からフリップ６３と接触しており、フリップ６３を押付方向Ｄ３に押す。すなわち、突出部７３は、図２においてIII方向にフリップ６３を押す。突出部７３のフリップ６３を押す力は、引掛部７２および突出部７３の展開形状への復元力である。また、突出部７３が、複数のコネクタ端子６２を第１方向Ｄ１から覆っている。
【００４８】
次に、コネクタ６０へのフレキシブル配線板７０の装着方法について説明する。図８は、実施形態のフレキシブル配線板７０をコネクタ６０に装着する工程を示す例示的な図である。図９は、実施形態のフレキシブル配線板７０をコネクタ６０に装着する工程を示す例示的な図であって、図８の工程の次の工程を示す図である。図１０は、実施形態のフレキシブル配線板７０をコネクタ６０に装着する工程を示す例示的な図であって、図９の工程の次の工程を示す図である。
【００４９】
コネクタ６０のフリップ６３が開位置にある状態で、作業者は、フレキシブル配線板７０の装着部７４がコネクタ６０の受入部６４に向かうように、突出部７３を持ち上げた状態で、突出部７３を引っ張る（図８）。そして、作業者は、装着部７４をコネクタ６０の受入部６４に入れ、フリップ６３を閉位置に回転させる（図９）。次に、作業者は、突出部７３をフリップ６３側に折り返し（図１０）、その後、突出部７３を引掛部７２の開口部７２ｆに通して、突出部７３をフリップ６３に第１方向Ｄ１から接触させる（図１０）。次に、作業者は、引掛部７２の二つのアーム部７２ａをコネクタ６０の二つの溝部６５に入れて、二つのアーム部７２ａを制限部６６に引っ掛ける（図２，３）。これにより、二つのアーム部７２ａ間に突出部７３が入れられた状態となる。
【００５０】
以上のように、実施形態のフレキシブル配線板７０では、本体７１と引掛部７２と突出部７３とが平面１００に沿った状態とされた場合、平面１００と直交する方向からの視線で（図７）、二つのアーム部７２ａが導体７６の延在方向（長手方向Ｄ５）に延び、二つのアーム部７２ａの間に二つの側縁部７５ｃのそれぞれの一部と端子７６ａとが位置し、接続部７２ｂが、ベース７５の端部７５ａの外側で、ベース７５における二つの側縁部７５ｃと交差する幅方向ＷＤに延び、突出部７３が接続部７２ｂに対してベース７５の端部７５ａとは反対側に突出する。
【００５１】
このような構成によれば、例えば、作業者は、フレキシブル配線板７０の突出部７３を引っ張りながらフレキシブル配線板７０をコネクタ６０に装着することができるので、コネクタ６０へのフレキシブル配線板７０の装着がしやすい。
【００５２】
また、実施形態のフレキシブル配線板７０では、例えば、ベース７５における二つの側縁部７５ｃと交差する幅方向ＷＤでの突出部７３の幅Ｗ１が、二つのアーム部７２ａの間の幅方向ＷＤの間隔Ｗ２よりも小さい。
【００５３】
このような構成によれば、例えば、二つのアーム部７２ａ間に突出部７３を入れやすい。
【００５４】
また、実施形態の電子機器１は、例えば、フレキシブル配線板７０と、フレキシブル配線板７０が装着されたコネクタ６０と、を備えている。
【００５５】
このような構成によれば、例えば、コネクタ６０へのフレキシブル配線板７０の装着がしやすいので、電子機器１の組立性が向上する。
【００５６】
また、実施形態の電子機器１は、例えば、第１面５０ａを有した基板５０（部材）を備えている。コネクタ６０は、第１面５０ａが向いた第１方向Ｄ１の反対の第２方向Ｄ２を向いた二つの制限部６６を有し第１面５０ａに固定されたコネクタベース６１と、コネクタベース６１に支持されフレキシブル配線板７０の端子７６ａと接触したコネクタ端子６２と、コネクタ端子６２にフレキシブル配線板７０を押し付ける押付方向Ｄ３と押付方向Ｄ３の反対方向とに回転可能に支持されたフリップ６３と、を有している。二つのアーム部７２ａは、二つの制限部６６に引っ掛けられて第１方向Ｄ１への移動が制限され、突出部７３は、折り返されて二つのアーム部７２ａの間に挿入されてフリップ６３の第１方向Ｄ１側からフリップ６３と接触しており、フリップ６３を押付方向Ｄ３に押す。
【００５７】
このような構成によれば、例えば、フレキシブル配線板７０の突出部７３が、フリップ６３を押付方向Ｄ３に押すので、フリップ６３が押付方向Ｄ３の反対方向へ回転するのを抑制することができる。よって、電子機器１に振動や衝撃が加わった場合でも、コネクタ６０からのフレキシブル配線板７０の抜けが抑制される。
【００５８】
また、実施形態の電子機器１では、例えば、フレキシブル配線板７０は、ベース７５における二つの側縁部７５ｃと交差する幅方向ＷＤに並べられた複数の端子７６ａを有している。コネクタ６０は、幅方向ＷＤに並べられ、複数の端子７６ａと接触した複数のコネクタ端子６２を有している。幅方向ＷＤでの突出部７３の幅Ｗ１が、幅方向ＷＤでの複数のコネクタ端子６２の列の幅Ｗ３以上であり、突出部７３が、複数のコネクタ端子６２を前記第１方向Ｄ１から覆っている。
【００５９】
このような構成によれば、例えば、フレキシブル配線板７０の突出部７３が、コネクタ６０の複数のコネクタ端子６２を第１方向Ｄ１から覆っているので、コネクタ端子６２が電気機器の他の部分と接触するのが抑制される。
【００６０】
また、本実施形態では、突出部７３が折り返されているので、第１筐体１１内が比較的に狭い場合であっても、他の部品の配置の自由度や他の部品の取付性が低下しにくい。
【００６１】
また、本実施形態では、フレキシブル配線板７０の装着の際に突出部７３が折り返されるので、コネクタ６０のフリップ６３が閉位置に位置していない状態の場合には、その状態を作業者が気づきやすい。
【００６２】
次に、実施形態の変形例を説明する。
【００６３】
図１１は、実施形態の第１変形例の展開状態のフレキシブル配線板７０の一部の平面図である。図１１に示される第１変形例のフレキシブル配線板７０は、アーム部７２ａの第２部分７２ｄの幅方向ＷＤの幅が、図７に示されるフレキシブル配線板７０よりも狭い。このような形状により、突出部７３のフリップ６３を押す力を小さくすることができるので、フリップ６３の強度が小さくて済む。
【００６４】
図１２は、実施形態の第２変形例の展開状態のフレキシブル配線板７０の一部の平面図である。図１２に示される第２変形例のフレキシブル配線板７０は、アーム部７２ａの第２部分７２ｄの長手方向Ｄ５の長さが、図７に示されるフレキシブル配線板７０よりも短い。このような形状により、突出部７３のフリップ６３を押す力を大きくすることができるので、フレキシブル配線板７０とコネクタ６０とを強固に結合することができる。なお、上記のような様々な形状は、フレキシブル配線板７０の周囲の部品等の関係で適宜設定されてよい。
【００６５】
図１３は、実施形態の第３変形例の電子機器１における第１モジュール２の一部の例示的な断面図である。図１３に示される変形例では、第１筐体１１の下壁１１ｃの内面から押さえ部８０が突出している。押さえ部８０は、フレキシブル配線板７０の突出部７３をフリップ６３とによって挟んでいる。このような構成によれば、突出部７３の折り返し状態が維持されやすい。
【００６６】
ここで、コネクタ端子６２がコネクタの外形からむき出しになっている構成のコネクタ（不図示）がある。このようなコネクタに対して、突出部７３が設けられていない従来のフレキシブル配線板を接続する構成では、第１筐体１１の下壁１１ｃ（壁）から押さえ部８０を出すことができなかった。これに対して、実施形態のフレキシブル配線板７０には突出部７３が設けられているので、第１筐体１１の下壁１１ｃ（壁）から押さえ部８０を出すことができる。
【００６７】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６８】
１…電子機器、５０…基板（部材）、５０ａ…第１面、６０…コネクタ、６１…コネクタベース、６２…コネクタ端子、６３…フリップ、６６…制限部、７０…フレキシブル配線板、７１…本体、７２…引掛部、７２ａ…アーム部、７２ｂ…接続部、７２ｅ…端部、７３…突出部、７５…ベース、７５ａ…端部、７５ｃ…側縁部、７６…導体、７６ａ…端子、７６ｂ…端部、１００…平面、Ｄ１…第１方向、Ｄ２…第２方向、Ｄ３…押付方向、Ｗ１…幅、Ｗ２…間隔、Ｗ３…幅、ＷＤ…幅方向。
【図１】
2020140867.tif 000003
【図２】
2020140867.tif 000004
【図３】
2020140867.tif 000005
【図４】
2020140867.tif 000006
【図５】
2020140867.tif 000007
【図６】
2020140867.tif 000008
【図７】
2020140867.tif 000009
【図８】
2020140867.tif 000010
【図９】
2020140867.tif 000011
【図１０】
2020140867.tif 000012
【図１１】
2020140867.tif 000013
【図１２】
2020140867.tif 000014
【図１３】
2020140867.tif 000015